(57)【要約】【課題】漏電ブレーカなどの電気部品の位置決め固定を的確に図り、がたつきなどの発生を適切に抑制することが可能なコントローラケースを提供する。【解決手段】電気部品４を背板部１０ａの前面に沿わせて所定方向にスライドさせた際に、電気部品４の少なくとも一部を進入可能とする空間部６２を形成する前壁部６１を有し、かつ電気部品４の保持が可能とされた受け部６が設けられている、コントローラケースＣであって、受け部６の前壁部６１には、空間部６２内に向けて突出するボス部６３が設けられ、電気部品４を受け部６に保持させた際には、電気部品４に予め設けられている孔部４０ａにボス部６３が係入することにより、電気部品４が少なくとも前記スライド方向とは反対方向に移動することを規制可能である。【選択図】  図５
2014073032.tif 000002
【特許請求の範囲】
【請求項１】
所望の機器を制御するための制御基板を収容する用途に用いられ、かつ前記機器に関連する電気部品を取り付けるための背板部を有する電気部品用取付部を有しており、
この電気部品用取付部には、前記電気部品を前記背板部の前面に沿わせて所定のスライド方向にスライドさせた際に、前記電気部品の少なくとも一部を進入可能とする空間部を形成する前壁部を有し、かつ前記電気部品の保持が可能とされた受け部が設けられている、コントローラケースであって、
前記受け部の前壁部には、前記空間部内に向けて突出するボス部が設けられ、前記電気部品を前記受け部に保持させた際には、前記電気部品に予め設けられている孔部または凹部に前記ボス部が係入することにより、前記電気部品が少なくとも前記スライド方向とは反対方向に移動することを規制可能な構成とされていることを特徴とする、コントローラケース。
【請求項２】
請求項１に記載のコントローラケースであって、
前記ボス部は、前記スライド方向の前方側に進むほど前記前壁部からの突出寸法が大きくなるように、その先端面が傾斜した形状とされている、コントローラケース。
【請求項３】
請求項２に記載のコントローラケースであって、
前記ボス部の先端面のうち、前記スライド方向の後部寄りの部分は、前記前壁部の後面との境界部分に段差を生じないように、前記後面に対して傾斜した角度で繋がっている、コントローラケース。
【請求項４】
請求項１ないし３のいずれかに記載のコントローラケースであって、
前記受け部から離間した位置に設けられ、かつ前記電気部品が前記受け部に保持された際に、前記電気部品が前記スライド方向とは反対方向に移動することを規制するように、前記電気部品の外面に係止する係止用爪を、さらに備えている、コントローラケース。
【請求項５】
請求項１ないし４のいずれかに記載のコントローラケースを備えていることを特徴とする、温水装置。
【発明の詳細な説明】
【技術分野】
【０００１】
本発明は、温水装置などの所望の機器を制御するための制御基板を収容するとともに、漏電ブレーカなどの電気部品を取り付けるのに利用されるコントローラケース、およびこれを備えた温水装置に関する。
【背景技術】
【０００２】
本出願人は、制御基板を収容するコントローラケースに漏電ブレーカを取り付けるための手段として、特許文献１に記載された手段を先に提案している。
同文献に記載された手段においては、漏電ブレーカとして、切欠き状の孔部を備えた一対の突出片部を左右両側面に突設した構造のものが用いられる。一方、コントローラケースの背板部には、この背板部の前面側に空間部を形成する受け部を設けており、漏電ブレーカを背板部の前面に沿わせて所定のスライド方向にスライドさせることにより、漏電ブレーカの一対の突出片部を前記空間部に進入させて、漏電ブレーカを保持できるように構成されている。さらに、コントローラケースには、漏電ブレーカを前記受け部に保持させた際に、この漏電ブレーカが前記スライド方向とは反対方向に移動することを規制するための弾性変形可能な係止用爪も設けられている。
このような構成によれば、漏電ブレーカをコントローラケースの所定箇所に配置させてからスライドさせるだけの簡単な操作により、漏電ブレーカをコントローラケースに取り付けることが可能である。漏電ブレーカをコントローラケースにビス止めする必要はないため、漏電ブレーカの取り付け作業性に優れる。
【０００３】
しかしながら、前記従来技術においては、次に述べるように、未だ改善すべき余地があった。
【０００４】
すなわち、漏電ブレーカを受け部に保持させた際に、漏電ブレーカが所定のスライド方向とは反対方向に移動することを規制するための手段として、係止用爪を用いている。ところが、この係止用爪は、漏電ブレーカの配置箇所の近傍に配されて、漏電ブレーカの外面に当接させるためのものであるため、漏電ブレーカと係止用爪との間には、微小ながらも隙間を生じてしまう可能性が高い。係止用爪は、漏電ブレーカとの干渉を回避するための手段として、背板部の厚み方向に弾性変形可能に設けられるが、このような方向の弾性変形を生じたとしても、係止用爪を漏電ブレーカの外面に対して積極的に接触させるといった作用は得られない。このようなことから、前記従来技術においては、漏電ブレーカを受け部に保持させた際に、所定のスライド方向に若干量の遊びを生じ、運搬時などにおいて漏電ブレーカにがたつきを生じ、ユーザなどに違和感を与える虞があった。
【先行技術文献】
【特許文献】
【０００５】
【特許文献１】特許第４４５２０７２号公報
【発明の概要】
【発明が解決しようとする課題】
【０００６】
本発明は、前記したような事情のもとで考え出されたものであり、漏電ブレーカなどの電気部品の位置決め固定を的確に図り、がたつきなどの発生を適切に抑制することが可能なコントローラケース、およびこれを備えた温水装置を提供することを、その課題としている。
【課題を解決するための手段】
【０００７】
上記の課題を解決するため、本発明では、次の技術的手段を講じている。
【０００８】
本発明の第１の側面により提供されるコントローラケースは、所望の機器を制御するための制御基板を収容する用途に用いられ、かつ前記機器に関連する電気部品を取り付けるための背板部を有する電気部品用取付部を有しており、この電気部品用取付部には、前記電気部品を前記背板部の前面に沿わせて所定のスライド方向にスライドさせた際に、前記電気部品の少なくとも一部を進入可能とする空間部を形成する前壁部を有し、かつ前記電気部品の保持が可能とされた受け部が設けられている、コントローラケースであって、前記受け部の前壁部には、前記空間部内に向けて突出するボス部が設けられ、前記電気部品を前記受け部に保持させた際には、前記電気部品に予め設けられている孔部または凹部に前記ボス部が係入することにより、前記電気部品が少なくとも前記スライド方向とは反対方向に移動することを規制可能な構成とされていることを特徴としている。
【０００９】
このような構成によれば、次のような効果が得られる。
すなわち、電気部品を受け部に保持させた際にその電気部品が所定のスライド方向とは反対方向に移動することを規制するための手段として、受け部の前壁部に設けられたボス部を、電気部品の孔部または凹部に係入させる手段が用いられている。このような係入手段によれば、電気部品の所定方向への遊びがゼロ、または殆どゼロとなるように電気部品の位置決め固定を的確に図ることが可能である。その結果、運搬時などにおいて、電気部品にがたつきを生じる現象を適切に抑制することができる。
一方、受け部の前壁部にボス部を設けた構成は、簡素であり、コントローラケースを樹脂成形する場合には、前記ボス部を容易に形成することが可能である。また、ボス部は、比較的小さなサイズでよい。したがって、コントローラケースの製造コストの上昇や大型化なども適切に抑制することができる。
【００１０】
本発明において、好ましくは、前記ボス部は、前記スライド方向の前方側に進むほど前記前壁部からの突出寸法が大きくなるように、その先端面が傾斜した形状とされている。
【００１１】
このような構成によれば、空間部に電気部品をスライド進入させる際に、この電気部品とボス部とが強く干渉し合うことを抑制し、前記スライド進入動作の円滑化を図ることができる。一方、ボス部のうち、突出寸法が大きい部分については、電気部品の孔部または凹部に対して深く係入させることができる。
【００１２】
本発明において、好ましくは、前記ボス部の先端面のうち、前記スライド方向の後部寄りの部分は、前記前壁部の後面との境界部分に段差を生じないように、前記後面に対して傾斜した角度で繋がっている。
【００１３】
このような構成によれば、空間部に電気部品をスライド進入させる際に、電気部品がボス部への引っ掛かりを生じないようにし、電気部品のスライド進入操作をより円滑に行なうことが可能となる。
【００１４】
本発明において、好ましくは、前記受け部から離間した位置に設けられ、かつ前記電気部品が前記受け部に保持された際に、前記電気部品が前記スライド方向とは反対方向に移動することを規制するように、前記電気部品の外面に係止する係止用爪を、さらに備えている。
【００１５】
このような構成によれば、係止用爪を利用した電気部品の位置規制をも図られる。したがって、仮に、ボス部を利用した位置決め状態が解除されるような荷重が発生した場合であっても、電気部品の取り付け状態を適切に維持することができ、電気部品の取り付けの信頼性を高めることが可能である。
【００１６】
本発明の第２の側面により提供される温水装置は、本発明の第１の側面により提供されるコントローラケースを備えていることを特徴としている。
このような構成によれば、本発明の第１の側面により提供されるコントローラケースについて述べたのと同様な効果が得られる。
【００１７】
本発明のその他の特徴および利点は、添付図面を参照して以下に行なう発明の実施の形態の説明から、より明らかになるであろう。
【図面の簡単な説明】
【００１８】
【図１】本発明に係るコントローラケースが組み込まれた温水装置の一例を模式的に示す概略説明図である。
【図２】図１に示すコントローラケースの具体的な構成を示す斜視図である。
【図３】図２の分解斜視図である。
【図４】（ａ）は、図２の要部正面図であり、（ｂ）は、（ａ）の要部拡大図であり、（ｃ）は、（ｂ）のIVc−IVc断面図である。
【図５】（ａ）〜（ｃ）は、コントローラケースに漏電ブレーカを取り付ける状態の一例を示す断面図である。
【図６】（ａ）は、図５（ｃ）の要部拡大断面図であり、（ｂ）は、（ａ）の矢視VIb要部正面図である。
【図７】（ａ），（ｂ）は、コントローラケースにサイズが異なる他の漏電ブレーカを取り付ける状態を示す断面図である。
【図８】本発明の他の例を示す要部斜視図である。
【図９】本発明の他の例を示す要部断面図である。
【発明を実施するための形態】
【００１９】
以下、本発明の好ましい実施の形態について、図面を参照して具体的に説明する。
【００２０】
図１に示す温水装置５は、外装ケース５０内に組み込まれたコントローラケースＣを備えている。コントローラケースＣには、制御基板２、電源回路基板３、および漏電ブレーカ４が組み付けられている。
温水装置５は、ファン５１から燃焼用空気の供給を受けるバーナ５２により発生させた燃焼ガスから熱交換器５３を利用して熱回収を行なうことにより、給湯用の湯水加熱を行なうものである。制御基板２は、温水装置５の各部の動作制御を行なうための制御回路を構成するものである。電源回路基板３は、商用電源から漏電ブレーカ４を介して供給されてくる電力の電圧および電流を前記制御回路や温水装置５の各部の動作に適合するように変換する電源回路を構成するものである。
【００２１】
漏電ブレーカ４は、本発明でいう電気部品の具体例に相当し、漏電検出回路や漏電検出時の電力遮断回路などが樹脂製ケース内に組み込まれた構成を有している。本実施形態においては、取り付け対象となる漏電ブレーカ４として、図２および図３に示すように、サイズが異なるたとえば２種類の漏電ブレーカ４（４Ａ，４Ｂ）がある。
漏電ブレーカ４の左右幅方向の両側面部には、一対の突出片部４０が設けられており、各突出片部４０には、切欠き状の孔部４０ａが形成されている。２種類の漏電ブレーカ４Ａ，４Ｂは、孔部４０ａから上端までの寸法Ｌａ，Ｌｂが、Ｌａ＜Ｌｂの関係であるものの、樹脂製ケースの横幅や厚みなどの他の部分のサイズは同一である。漏電ブレーカ４の前面部には、漏電表示ランプ４２や操作ボタン４３が設けられている他、開閉カバー４４ａによって覆われた配線用端子部４４も設けられている。操作ボタン４３は、たとえばリセットボタンや動作試験用ボタンである。図面においては、配線用端子部４４にアース線としての１本の電装線４５が接続された状態を示しているが、開閉カバー４４ａを開いて
配線用端子部４４を露出させることにより、この配線用端子部４４には他の電装線（図示略）を接続することが可能である。他の電装線としては、漏電ブレーカ４を外部の商用電源に接続するためのもの、および電源回路基板３の電源回路に接続するためのものがある。
【００２２】
コントローラケースＣは、樹脂成形品であり、正面視略矩形の背板部１０と、この背板部１０から前方に突出して上下高さ方向に延びる複数のリブ１２ａ〜１２ｃが形成された構成を有している。リブ１２ａ，１２ｂ間の凹部には、制御基板２が収容して取り付けられ、リブ１２ｂ，１２ｃ間の凹部には、電源回路基板３が収容して取り付けられる。
【００２３】
コントローラケースＣのうち、リブ１２ｃの一側方には、漏電ブレーカ４を取り付けるための背板部１０ａが一体的に繋がって設けられ、この背板部１０ａを利用して電気部品用取付部Ｅが構成されている。この電気部品用取付部Ｅは、一対の受け部６と、第１および第２の係止用爪７Ａ，７Ｂとを備えている。
【００２４】
受け部６は、漏電ブレーカ４の突出片部４０を支持するための部位であり、図５および図６によく表われているように、下壁部６０、前壁部６１、およびボス部６３を有している。下壁部６０は、背板部１０ａの前面から前方に突出した部分であり、前壁部６１は、下壁部６０の先端部から上向きに起立した壁部である。前壁部６１の後方側には、上部および背板部１０ａの中央寄りの一側部が開口した空間部６２（隙間）が形成されている。空間部６２は、突出片部４０をスライド進入させるための部分であり、本実施形態では、背板部１０ａのうち、前壁部６１および空間部６２に対向する部分には、孔部１４が形成されている。
【００２５】
図５（ａ），（ｂ）に示すように、漏電ブレーカ４を背板部１０ａの前面に接触させてから下方（本発明でいう所定のスライド方向の一例に相当）にスライドさせることにより、同図（ｃ）に示すように、突出片部４０を空間部６２に進入させることが可能である。空間部６２の下側には下壁部６０が存在するために、漏電ブレーカ４が一定以上下降することもない。このことにより、漏電ブレーカ４を背板部１０ａに沿わせて保持させることができる。
【００２６】
ボス部６３は、前壁部６１の後面６１ａから空間部６２側に向けて突出しており、前壁部６１に一体的に形成されている。図６によく表われているように、ボス部６３は、突出片部４０を空間部６２に進入させた際に、突出片部４０の孔部４０ａに係入させるための部分である。なお、前壁部６１は、前後方向に撓み変形可能であり、突出片部４０を空間部６２に進入させる際に、この突出片部４０とボス部６３とが当接する際には、前壁部６１は前方に撓み変形を生じる。
【００２７】
ボス部６３は、たとえば背面視円形状の突起であるが、好ましくは、下側に進むほど前壁部６１からの突出寸法が大きくなるように、その先端面６３ａは傾斜している。より好ましくは、ボス部６３の先端面６３ａの上側部分は、前壁部６１の後面６１ａとの境界部分に段差を生じないように、後面６１ａに対して傾斜した角度で繋がっている。ボス部６３の上側部分は、孔部４０ａの上部内面４７ａに対しては殆ど係合していないものの、ボス部６３の下側部分は、孔部４０ａの下部内面４７ｂ上に位置して、この下部内面４７ｂに対して的確に係合している。
【００２８】
孔部４０ａは、水平方向に延びた長孔状であり、ボス部６３は、この孔部４０ａの長手方向のいずれの位置に係入していてもよい。なお、ボス部６３を孔部４０ａの端部（図６（ｂ）の符号ｎ１で示す部分）に係入させれば、ボス部６３を利用して漏電ブレーカ４の左右幅方向の位置決めをも図ることが可能である。ただし、本実施形態では、漏電ブレー
カ４の左右幅方向の位置決めは、左右一対の受け部６間に漏電ブレーカ４を挟み込むことにより図られている。
【００２９】
第１および第２の係止用爪７Ａ，７Ｂは、受け部６に漏電ブレーカ４を保持させた際に、漏電ブレーカ４が上方に移動することを規制するためのものである。第１および第２の係止用爪７Ａ，７Ｂは、これらの下端先端部に、背板部１０ａよりも前方に突出する突起部７０ａ，７０ｂを有しており、図４（ｂ）によく表われているように、背板部１０ａに、サイズが異なる正面視略逆Π字状の２つのスリット１８ａ，１８ｂを形成することにより設けられている。
第１の係止用爪７Ａは、漏電ブレーカ４Ａの移動規制用であるのに対し、第２の係止用爪７Ｂは、漏電ブレーカ４Ｂの移動規制用である。そのための手段として、第１および第２の係止用爪７Ａ，７Ｂの下端の高さは相違しており、図４（ａ）に示すように、ボス部６３からそれらまでの高さＬ１，Ｌ２は、Ｌ１＜Ｌ２の関係にある。Ｌ１，Ｌ２は、図３に示した漏電ブレーカ４Ａ，４Ｂの上側部分の高さＬａ，Ｌｂに対応した寸法である。
【００３０】
第１および第２の係止用爪７Ａ，７Ｂの各下端先端部側は、背板部１０ａの前後厚み方向に弾性変形可能である。このことにより、たとえば図５（ｂ）に示すように、第１および第２の係止用爪７Ａ，７Ｂが漏電ブレーカ４に押圧されて後方に撓み変形しても、その後に同図（ｃ）に示すように、漏電ブレーカ４による押圧が解除された際には、元の状態に復帰する。このような作用により、漏電ブレーカ４Ａの取り付け時においては、漏電ブレーカ４Ａの上面に第１の係止用爪７Ａが係止し、漏電ブレーカ４Ａの上方への移動が規制される。
一方、図７に示す漏電ブレーカ４Ｂの取り付け時においては、第２の係止用爪７Ｂが元の状態に復帰して、漏電ブレーカ４Ｂの上面に係止する。第１の係止用爪７Ａは、漏電ブレーカ４Ｂによって後方に押圧されたままとなる。したがって、このような状態においては、漏電ブレーカ４Ｂは、第１の係止用爪７Ａの弾発力Ｆ１によって前方に付勢され、突出片部４０は受け部６の前壁部６１に押し付けられることとなる。
【００３１】
図４（ｃ）に示すように、第１および第２の係止用爪７Ａ，７Ｂが弾性変形を生じていない自然状態においては、背板部１０ａの前方への突起部７０ａ，７０ｂの突出寸法Ｌ１１，Ｌ１２は、相違している。Ｌ１１＜Ｌ１２の関係である。具体例を挙げると、たとえばＬ１１は１．４５ｍｍであるのに対し、Ｌ１２は２．００ｍｍである。このような構成に基づく作用については後述する。
【００３２】
背板部１０ａのうち、第１および第２の係止用爪７Ａ，７Ｂの基端部（上端部）が繋がっている部分は、前方に向けて突出した凸部１７ａが設けられた厚肉部１７とされており、その周辺部分よりも肉厚が部分的に大きくされている。厚肉部１７と第１および第２の係止用爪７Ａ，７Ｂとの接続部分は、曲率半径Ｒａ，Ｒｂの曲面とされており、厚肉部１７から第１および第２の係止用爪７Ａ，７Ｂの基端部に進むにしたがってこれらの部分の厚みが徐々に小さくなるように形成されている。厚肉部１７が設けられていることにより、曲率半径Ｒａ，Ｒｂを大きくすることが可能である。このような構成によれば、第１および第２の係止用爪７Ａ，７Ｂを撓み変形させた際に、それらの基端部に損傷などを生じ難くすることが可能となる。
【００３３】
第１および第２の係止用爪７Ａ，７Ｂのうち、突起部７０ａ，７０ｂよりも上側の部分は、撓み変形を生じ易いように比較的薄肉に形成されている。ただし、好ましくは、第１および第２の係止用爪７Ａ，７Ｂのそれぞれの厚みｔ１，ｔ２は、ｔ１＞ｔ２の関係とされている。第２の係止用爪７Ｂは、第１の係止用爪７Ａと比較して寸法が短いために、本来的には撓み変形させ難いが、その厚みｔ２を小さくすれば、第１の係止用爪７Ａと同様に撓み変形させ易くなる。
【００３４】
次に、前記したコントローラケースＣの作用について説明する。
【００３５】
まず、本実施形態においては、後に詳述するように、２種類の漏電ブレーカ４（４Ａ，４Ｂ）のいずれであっても、コントローラケースＣに適切に取り付けることが可能であるが、２種類の漏電ブレーカ４のいずれが取り付けられる場合であっても、図６に示したように、ボス部６３が突出片部４０の孔部４０ａに係入する。より具体的には、ボス部６３が孔部４０ａの下部内面４７ｂに係止する。この作用により、漏電ブレーカ４Ａは精度良く位置決めされることとなり、漏電ブレーカ４Ａが上方に移動することは適切に規制される。
【００３６】
第１および第２の係止用爪７Ａ，７Ｂは、ボス部６３と同様に、漏電ブレーカ４の上昇を規制する役割を果たすものであるが、ボス部６３は、第１および第２の係止用爪７Ａ，７Ｂよりも高精度な位置決めが可能である。したがって、第１および第２の係止用爪７Ａ，７Ｂでは抑制することが難しい漏電ブレーカ４のがたつきを適切に防止または抑制することができることとなる。第１および第２の係止用爪７Ａ，７Ｂは、たとえば漏電ブレーカ４に大きな荷重が作用するなどして、孔部４０ａへのボス部６３の係入状態が解除されるような事態が仮に生じた場合であっても、漏電ブレーカ４が上方に浮き上がることを確実に防止する役割をもつこととなる。
【００３７】
ボス部６３の先端面６３ａは、図６を参照して説明したとおり、所定の傾斜面とされていることに加え、先端面６３ａと前壁部６１の後面６１ａとの境界部分には段差が生じないように設けられているために、空間部６２に突出片部４０を進入させる際に、突出片部４０がボス部６３に強く引っ掛かってしまうようなこともない。したがって、漏電ブレーカ４Ａの取り付け作業性が悪化するといった不具合も適切に回避される。
【００３８】
漏電ブレーカ４Ａについては、図５を参照して説明した手順により、背板部１０ａの前面側に容易に取り付けることができ、漏電ブレーカ４Ａの上面には、第１の係止用爪７Ａを係止させることが可能である。一方、漏電ブレーカ４Ｂについても、図７に示したように、漏電ブレーカ４Ａの場合と同様な操作を行なうことにより、容易に取り付けることができる。この場合には、第２の係止用爪７Ｂを漏電ブレーカ４Ｂの上面に係止させることが可能である。
このように、１つのコントローラケースＣに、２種類の漏電ブレーカ４Ａ，４Ｂを取り付け可能とすれば、漏電ブレーカ４Ａ，４Ｂのそれぞれに対応させて２種類のコントローラケースを準備する必要はなく、コスト削減を図ることが可能である。また、２種類のコントローラケースを準備した場合には、漏電ブレーカ４Ａ，４Ｂのいずれを用いるかによって、コントローラケースを使い分ける必要があるが、本実施形態によれば、そのような煩わしさもない。
【００３９】
図７（ｂ）に示す状態においては、漏電ブレーカ４Ｂが第１の係止用爪７Ａの弾発力Ｆ１によって前方に押圧され、突出片部４０が受け部６の前壁部６１に押し付けられているために、このことにより漏電ブレーカ４Ｂの前後方向のがたつきが防止される効果も得られる。なお、漏電ブレーカ４Ｂが弾発力Ｆ１を受けた際には、この漏電ブレーカ４Ｂが背板部１０ａから離反するように前方に変位する虞がある（ただし、図面においては、そのような状態には示されていない）。これに対し、第２の係止用爪７Ｂの突起部７０ｂは、図４（ｃ）を参照して説明したように、その突出高さＬ１２が高くされているために、漏電ブレーカ４Ｂが前方に多少変位したとしても、この突起部７０ｂを漏電ブレーカ４Ｂの上面に対して大きな寸法量で適切に係止させることが可能である。漏電ブレーカ４Ｂが前方に変位することに起因して、第２の係止用爪７Ｂと漏電ブレーカ４Ｂとの接触寸法が過少となる不具合は適切に回避される。
【００４０】
図８および図９は、本発明の他の実施形態を示している。これらの図において、前記実施形態と同一または類似の要素には、前記実施形態と同一の符号を付している。
【００４１】
図８に示す実施形態においては、ケース４６に回路基板４７を収容させた電気部品４Ｃ（４）が、電気部品用取付部Ｅへの取り付け対象とされている。回路基板４７は、図１に示した制御基板２が構成する制御回路に対して、補助的なデータ処理または動作制御を実行するための電気回路を構成したものであり、複数の操作スイッチ４７ａやディスプレイ４７ｂなども適宜有している。ケース４６は、回路基板４７を収容するための凹部を形成したものであるが、その外形およびサイズは、前記した漏電ブレーカ４Ａ，４Ｂのいずれか一方と同様とされ、孔部４０ａを有する一対の突出片部４０を有している。各突出片部４０からケース４７の上面までの高さＬｃ、およびケース４７の横幅なども、漏電ブレーカ４Ａ，４Ｂのいずれか一方と同様とされている。
前記したような電気部品４Ｃについても、漏電ブレーカ４Ａ，４Ｂと同様な態様で電気部品用取付部Ｅに適切に取り付けることが可能である。本実施形態から理解されるように、本発明でいう電気部品は、漏電ブレーカに限定されず、その他の回路基板を収容したケースであってもよく、さらにはこれら以外の電気部品であってもよい。
【００４２】
図９に示す実施形態においては、ボス部６３の上下幅Ｌ２２が、突出片部４０の孔部４０ａの上下幅Ｌ２１よりも大きくされており、空間部６２に突出片部４０を進入させた際に、ボス部６３の上部側の一部は、孔部４０ａ内に進入しないようになっている。ボス部６３の傾斜状の先端面６３ａの上側部分には、孔部４０ａの上部周縁部４７ｃが当接（圧接）するように構成されている。
本実施形態によれば、ボス部６３の先端面６３ａが適度な力Ｆ２で突出片部４０を後方に押圧する作用が得られる。したがって、漏電ブレーカ４などの電気部品のがたつきを防止するのに一層好ましいものとなる。
本実施形態から理解されるように、本発明では、ボス部の少なくとも一部が突出片部の孔部に係入していればよく、必ずしもボス部の全体が孔部内に進入していなくてもよい。
【００４３】
本発明は、上述した実施形態の内容に限定されない。本発明に係るコントローラケース、および温水装置の各部の具体的な構成は、本発明の意図する範囲内において種々に設計変更自在である。
【００４４】
ボス部は、上述した実施形態のように、その先端面を所定の傾斜面とすることが好ましいものの、これに代えて、非傾斜面としてもよい。また、ボス部は、背面視円形状のものに代えて、たとえば矩形などの他の形状とすることも可能である。ボス部の係入対象となる部分は、前記した孔部４０ａのような切欠き状の孔部に代えて、非切欠き状の孔部、あるいは凹部とすることも可能である。孔部および凹部は、所定方向に延びた長孔状またはこれに類する形状ではなく、たとえば単なる円形状でもよく、その具体的な形状も問わない。
【００４５】
本発明でいう受け部は、取り付け対象となる電気部品の少なくとも一部をスライド進入させることが可能な空間部を形成する前壁部を有し、電気部品を保持可能な構成であればよい。電気部品のスライド方向は、下方向でなくてもよい。たとえば、上述した実施形態の電気部品用取付部Ｅを上下反転させて、電気部品を上方向にスライドさせて取り付ける構成としてもよい、あるいは、電気部品用取付部Ｅを横倒し状態として、電気部品を略水平方向にスライドさせて取り付ける構成にするといったことも可能である。
【００４６】
本発明においては、ボス部を利用して電気部品が所定のスライド方向とは反対方向に移動することを規制することができるために、係止用爪（上述の実施形態では、第１および
第２の係止用爪７Ａ，７Ｂ）を設けない構成とすることも可能である。
【００４７】
本発明でいうコントローラケースは、制御基板を収容するケースの意であり、制御基板や本発明が意図する電気機器とは異なる機器が別途収容されているか否かといったことは問わない。制御基板を用いて制御される機器は、給湯装置などの温水装置に限定されない。したがって、本発明に係るコントローラケースは、温水装置以外の装置に組み込んで使用するものとすることができる。
【符号の説明】
【００４８】
Ｃ  コントローラケース
Ｅ  電気部品用取付部
２  制御基板
４（４Ａ，４Ｂ）  漏電ブレーカ（電気部品）
４（４Ｃ）  電気部品（回路基板とケースとの組み合わせ）
５  温水装置
６  受け部
７Ａ，７Ｂ  第１および第２の係止用爪（係止用爪）
１０ａ  背板部（電気部品用取付部の）
４０  突出片部（漏電ブレーカの）
４０ａ  孔部（突出片部の）
６１  前壁部（受け部の）
６２  空間部（受け部の）
６３  ボス部
６３ａ  先端面（ボス部の）
【図１】
2014073032.tif 000003
【図２】
2014073032.tif 000004
【図３】
2014073032.tif 000005
【図４】
2014073032.tif 000006
【図５】
2014073032.tif 000007
【図６】
2014073032.tif 000008
【図７】
2014073032.tif 000009
【図８】
2014073032.tif 000010
【図９】
2014073032.tif 000011